(57)【要約】【課題】メニュー画面における複数の項目の中から一つの項目を項目毎に移動するカーソルによってユーザに選択させるユーザインターフェース装置において、ユーザの操作性をより向上させる。【解決手段】ユーザインターフェース装置では、マイコンが、メニュー画面１２における複数の項目のうち一つの項目上に、その項目をユーザに選択させるためのカーソルをメータディスプレイに表示させる際に、十字キーにより入力された指示方向に従って、カーソルを項目毎に移動させる。この構成において、マイコンは、十字キーの形状を示すアイコンをデバイスアイコン１３とし、メニュー画面１２に表示されるカーソルとしてこのデバイスアイコン１３を表示させるように構成した。これにより、ユーザは項目を選択する際にどのスイッチを使用すればよいか一目瞭然に知得でき、デバイスアイコン１３を見たときにほとんど視線を動かすことなく、選択された項目を知得できる。【選択図】図５
2014123207.tif 000002
【特許請求の範囲】
【請求項１】
予め用意された複数のアプリケーション処理の各内容をそれぞれ紹介する複数の項目からなるメニュー画面（１２）を表示する表示部（４）と、
ユーザによる操作に応じた指示方向を入力する操作入力デバイス（５ａ）と、
前記メニュー画面における複数の項目のうち一つの項目上に、該項目をユーザに選択させるためのカーソルを前記表示部に表示させる際に、前記操作入力デバイスにより入力された指示方向に従って、該カーソルを項目毎に移動させる表示制御手段（１０）と、
を備え、
前記表示制御手段は、前記操作入力デバイスの形状を示すアイコンをデバイスアイコン（１３）として、前記メニュー画面に表示されるカーソルとして該デバイスアイコンを表示させることを特徴とするユーザインターフェース装置。
【請求項２】
前記操作入力デバイスは、ユーザによる押下箇所に応じて前記指示方向を入力し、
前記デバイスアイコンには、前記操作入力デバイスにおける押下箇所に相当する押下アイコン部分が含まれており、
前記表示制御手段は、前記デバイスアイコンにおける押下アイコン部分に、前記ユーザによる操作を促すためのガイド画像（１４ａ，１４ｂ）を重畳させることを特徴とする請求項１に記載のユーザインターフェース装置。
【請求項３】
前記表示制御手段は、前記デバイスアイコンの移動方向を示す画像（１４ａ）を前記ガイド画像として表示させることを特徴とする請求項２に記載のユーザインターフェース装置。
【請求項４】
前記表示制御手段は、前記複数の項目のうち前記デバイスアイコンが位置する項目を対象項目とし、該対象項目に対応するアプリケーション処理の実行によって実現される機能を示す画像（１４ｂ）を前記ガイド画像として表示させることを特徴とする請求項２または請求項３に記載のユーザインターフェース装置。
【請求項５】
前記表示制御手段は、前記デバイスアイコンの位置に応じて、前記操作入力デバイスのうちユーザによる操作が不可となった押下箇所を対象箇所とし、該対象箇所に対応する前記ガイド画像をグレーアウトさせることを特徴とする請求項２ないし請求項４のいずれか１項に記載のユーザインターフェース装置。
【請求項６】
前記操作入力デバイスを介してユーザに選択された項目に対応するアプリケーション処理を実行する機器を操作対象機器（３，７〜９）とし、
前記表示制御手段は、前記複数の項目のうち前記デバイスアイコンが位置する項目を対象項目とし、該対象項目に対応するアプリケーション処理を実行する前記操作対象機器の動作状態に応じた画像（１５）を、前記デバイスアイコンにおける押下アイコン部分以外の部分に重畳させることを特徴とする請求項２ないし請求項５のいずれか１項に記載のユーザインターフェース装置。
【請求項７】
前記操作入力デバイスは、ユーザによる押下箇所に応じて前記指示方向を入力し、
前記デバイスアイコンには、前記操作入力デバイスにおける押下箇所に相当する押下アイコン部分が含まれており、
前記表示制御手段は、前記デバイスアイコンの位置に応じて、前記操作入力デバイスのうちユーザによる操作が不可となった押下箇所を対象箇所とし、該対象箇所に対応する前記押下アイコン部分をグレーアウトさせることを特徴とする請求項１ないし請求項６のいずれか１項に記載のユーザインターフェース装置。
【請求項８】
前記操作入力デバイスとは別に、前記複数のアプリケーション処理のうち少なくとも一つのアプリケーション処理に関する操作が可能な付加デバイス（５ｂ）を備え、
前記表示制御手段は、前記複数の項目のうち前記デバイスアイコンが位置する項目を対象項目とし、前記付加デバイスが該対象項目に対応するアプリケーション処理に関する操作に対応する場合、前記メニュー画面において該付加デバイスの形状を示す付加アイコン（１６）を前記デバイスアイコンと隣接する位置に表示させることを特徴とする請求項１ないし請求項７のいずれか１項に記載のユーザインターフェース装置。
【請求項９】
前記表示制御手段は、前記付加アイコンに対応する前記付加デバイスが操作された場合に実現される機能を示すガイダンスを、前記付加アイコンとともに表示させることを特徴とする請求項８に記載のユーザインターフェース装置。
【請求項１０】
予め用意された複数のアプリケーション処理の各内容をそれぞれ紹介する複数の項目からなるメニュー画面を表示する表示部と、
ユーザによる操作に応じた指示方向を入力する操作入力デバイスと、
に接続されるコンピュータを、請求項１ないし請求項９のいずれか１項に記載の表示制御手段として機能させるためのプログラム。
【発明の詳細な説明】
【技術分野】
【０００１】
本発明は、ユーザによる操作に応じた表示制御を行うユーザインターフェース装置およびプログラムに関する。
【背景技術】
【０００２】
従来、車両に設置されるユーザインターフェース装置として、車室内で実行される各種アプリケーション処理（例えばエアコンの制御処理やオーディオ機器の制御処理）の内容をそれぞれ紹介する複数の項目をメニュー画面としてメータディスプレイに表示させ、ステアリングスイッチを介して入力される運転者の操作指示に応じて、項目上に表示されるカーソルを項目毎に移動させる車両用ユーザインターフェース装置が知られている。
【０００３】
また、このようにメニュー画面において項目毎に移動表示させるカーソルとしては、一般的に、ユーザに選択させる項目を強調的に囲う形態のもの（図８（ａ）参照）が採用されている。さらには、このようなカーソル内の項目を拡大表示させることも提案されている（例えば、特許文献１参照）。
【先行技術文献】
【特許文献】
【０００４】
【特許文献１】特開２００５−３０１７０３号公報
【発明の概要】
【発明が解決しようとする課題】
【０００５】
しかし、従来の形態によるカーソル表示では、ユーザがどのスイッチでカーソルを移動させればよいかを直感的に知得できない可能性があった。具体例を挙げると、従来の車両用ユーザインターフェース装置では、複数のステアリングスイッチが存在する場合や、ステアリングスイッチ以外にも車室内の各部にスイッチが存在する場合に、運転者が車両の走行中に咄嗟にどのスイッチを使用すればよいか判断できないことがあり、必ずしも操作性が優れているとはいえないという問題があった。
【０００６】
本発明は、上記問題を鑑みてなされたものであり、メニュー画面における複数の項目の中から一つの項目を項目毎に移動するカーソルによってユーザに選択させるユーザインターフェース装置において、ユーザの操作性をより向上させることを目的とする。
【課題を解決するための手段】
【０００７】
上記目的を達成するためになされた本発明は、予め用意された複数のアプリケーション処理の各内容をそれぞれ紹介する複数の項目からなるメニュー画面を表示する表示部と、ユーザによる操作に応じた指示方向を入力する操作入力デバイスと、表示制御手段とを備えるユーザインターフェース装置である。なお、本発明において、表示制御手段は、メニュー画面における複数の項目のうち一つの項目上に、その項目をユーザに選択させるためのカーソルを表示部に表示させる際に、操作入力デバイスにより入力された指示方向に従って、カーソルを項目毎に移動させることを前提とする。
【０００８】
ここで、本発明では、表示制御手段が、操作入力デバイスの形状を示すアイコンをデバイスアイコンとし、メニュー画面に表示されるカーソルとしてこのデバイスアイコンを表示させるように構成した。
【０００９】
このような構成によれば、メニュー画面にデバイスアイコンが表示されるため、ユーザは項目を選択する際に操作入力デバイスとしてどのスイッチを使用すればよいか一目瞭然に知得することが可能となる。
【００１０】
また、項目上に表示されるカーソルとしてデバイスアイコンが用いられるため、デバイスアイコンがカーソルと別々に表示される形態のもの（図８（ｂ）参照）と比較しても、ユーザがデバイスアイコンを見たときにほとんど視線を動かすことなく、選択された項目を知得することが可能となる。
【００１１】
したがって、本発明によれば、メニュー画面における複数の項目の中から一つの項目を項目毎に移動するカーソルによってユーザに選択させるユーザインターフェース装置において、ユーザの操作性をより向上させることができる。
【００１２】
なお、操作入力デバイスとしては、その形状を特定できるものであれば、どのような態様であってもよい。例えば、操作入力デバイスが、ユーザによる押下箇所に応じて上記の指示方向を入力するタイプのものである場合、デバイスアイコンには、操作入力デバイスにおける押下箇所に相当する押下アイコン部分が含まれており、表示制御手段は、デバイスアイコンにおける押下アイコン部分に、ユーザによる操作を促すためのガイド画像を重畳させてもよい。
【００１３】
このような構成によれば、デバイスアイコンにおける押下アイコン部分にガイド画像が表示されるため、ユーザはメニュー画面の表示中に操作入力デバイスにおけるどの部分を押下すればよいか容易に知得することが可能となる。
【００１４】
また、表示制御手段は、デバイスアイコンの移動方向を示す画像を上記のガイド画像として表示させてもよいし、複数の項目のうちデバイスアイコンが位置する項目を対象項目とし、その対象項目に対応するアプリケーション処理の実行によって実現される機能を示す画像をガイド画像として表示させてもよい。
【００１５】
前者の場合、ユーザは操作入力デバイスにおけるどの部分を押下すれば、どの方向にカーソルとしてのデバイスアイコンが移動するかを容易に知得することができ、後者の場合、ユーザは操作入力デバイスにおけるどの部分を押下すれば、選択された項目でどのような機能が実現されるかを容易に知得することができる。
【００１６】
なお、これらのガイド画像には、例えば文字や記号、マークおよびこれらの組合せを使用すればよい。また、表示制御手段は、デバイスアイコンの位置に応じて、操作入力デバイスのうちユーザによる操作が不可となった押下箇所を対象箇所とし、その対象箇所に対応するガイド画像をグレーアウトさせてもよい。
【００１７】
このような構成によれば、例えば、カーソルとしてデバイスアイコンを移動させる操作が不可となった場合や、選択された項目で実現される機能を実現させるための操作が不可となった場合に、該当するガイド画像が薄表示されるため、このようなガイド画像を全くの非表示にする態様と比較して、ユーザはデバイスアイコンの位置と使用可能／不可な操作との関係性を容易に知得することができる。
【００１８】
あるいは、表示制御手段は、デバイスアイコンの位置に応じて、操作入力デバイスのうちユーザによる操作が不可となった押下箇所を対象箇所とし、その対象箇所に対応する押下アイコン部分をグレーアウトさせてもよい。
【００１９】
このような構成によれば、該当する押下アイコン部分が薄表示されるため、ガイド画像だけを薄表示する態様と比較して、操作入力デバイスのうちユーザは操作が不可となった対象の箇所をより直感的に知得することができる。
【００２０】
また、表示制御手段は、複数の項目のうちデバイスアイコンが位置する項目を対象項目とし、その対象項目に対応するアプリケーション処理を実行する操作対象機器の動作状態に応じた画像を、デバイスアイコンにおける押下アイコン部分以外の部分に重畳させてもよい。
【００２１】
このような構成によれば、デバイスアイコンにおける押下アイコン部分にはガイド画像が表示され、押下アイコン部分以外の部分には操作対象機器の動作状態に基づいて変化する画像が表示されるため、ユーザは操作入力デバイスの押下部分を容易に知得できるだけでなく、メニュー画面上で操作対象機器の動作状態を知得することができる。
【００２２】
また、これにより、操作対象機器が実行するアプリケーション処理の出力内容を示す画面（アプリケーション画面）をメニュー画面に代えて表示させずに済ませることも可能となるため、ユーザはアプリケーション画面からメニュー画面に戻る操作を行わずに、例えば別の項目を選択することができ、ひいてはユーザの操作性をより向上させることができる。
【００２３】
なお、操作対象機器は、操作入力デバイスを介してユーザに選択された項目に対応するアプリケーション処理を実行する機器であればよく、ユーザインターフェース装置に接続された機器であってもよいし、ユーザインターフェース装置自体であってもよい。
【００２４】
ところで、本発明のユーザインターフェース装置は、操作入力デバイスとは別に、複数のアプリケーション処理のうち少なくとも一つのアプリケーション処理に関する操作が可能な付加デバイスを備えてもよい。
【００２５】
この場合、表示制御手段は、複数の項目のうちデバイスアイコンが位置する項目を対象項目とし、付加デバイスがその対象項目に対応するアプリケーション処理に関する操作に割り当てられている場合、メニュー画面においてその付加デバイスの形状を示す付加アイコンをデバイスアイコンと隣接する位置に表示させることが好ましい。
【００２６】
このような構成によれば、デバイスアイコンと隣接する位置に付加デバイスの形状を示すアイコンが表示されるため、ユーザがデバイスアイコンを見たときにほとんど視線を動かすことなく、選択された項目で操作入力デバイスとは別に使用できる付加デバイスを知得することが可能となる。
【００２７】
なお、表示制御手段は、この付加アイコンに対応する付加デバイスが操作された場合に実現される機能を示すガイダンスを、付加アイコンとともに表示させることが好ましい。
このようにすることで、ユーザが付加アイコンを見たときに、この付加アイコンに対応する付加デバイスを操作することによってどのような特定の機能が実現されるかを、ユーザに確実に伝えることができる。また、これにより、ユーザに付加アイコンとデバイスアイコンとを混同させてしまうことを防止できるため、ユーザに項目を選択する際に操作入力デバイスとしてどのスイッチを使用すればよいか知得させることを妨げずに済む。
【００２８】
また、本発明は、プログラムとして市場に流通させることができる。このプログラムは、上記表示部と上記操作入力デバイスとに接続されるコンピュータを、上記表示制御手段として機能させるソフトウェアであるため、対応するハードウェアと組み合わせることでユーザインターフェース装置を構成することができる。
【図面の簡単な説明】
【００２９】
【図１】ユーザインターフェース装置を含むシステムの全体構成を例示するブロック図である。
【図２】操作入力デバイス、表示部、および付加デバイスを例示するイメージ図である。
【図３】ユーザインターフェース装置が実行する表示制御処理の内容を例示するフローチャートである。
【図４】ユーザインターフェース装置が実行するアプリモード表示制御処理の内容を例示するフローチャートである。
【図５】ユーザインターフェース装置の表示画面を個々に例示する第１のイメージ図である。
【図６】ユーザインターフェース装置の表示画面を個々に例示する第２のイメージ図である。
【図７】ユーザインターフェース装置の表示画面を例示する第３のイメージ図である。
【図８】ユーザインターフェース装置の表示画面を個々に例示する第４のイメージ図である。
【発明を実施するための形態】
【００３０】
以下に、本発明の実施形態としての車両用ユーザインターフェース装置について図面とともに説明する。
＜全体構成＞
まず、本実施形態の車両用ユーザインターフェース装置１を含む車載ネットワークシステム２の全体構成について説明する。
【００３１】
図１に示すように、車両用ユーザインターフェース装置１は、車両の内部に構築された車載ネットワークシステム２を構成する複数の電子制御ユニット（以下「ＥＣＵ」という）のうち、その車両に設けられたメータディスプレイ４の表示制御を行うメータＥＣＵ３を中心に構成され、具体的には、表示制御手段としてのメータＥＣＵ３と、表示部としてのメータディスプレイ４と、複数のステアリングスイッチ５とを備えて構成される。
【００３２】
メータＥＣＵ３は、ＣＰＵ、ＲＯＭ、ＲＡＭ、フラッシュメモリを有する周知のマイクロコンピュータ（以下「マイコン」という）１０を中心に構成され、具体的には、マイコン１０と、通信コントローラ１１とを備えて構成される。
【００３３】
通信コントローラ１１は、車載ネットワークシステム２を構成する他のＥＣＵとの間で通信バス６を介してデータ通信を行うものであり、所定のプロトコル（例えば、周知のＣＡＮプロトコル）に従って、マイコン１０によって生成された送信データを通信バス６上に送出したり、他のＥＣＵから通信バス６を介して受信したデータをマイコン１０に供給したりする。
【００３４】
なお、車載ネットワークシステム２を構成する他のＥＣＵについても、メータＥＣＵ３と同様、マイコンと通信コントローラとを備えて構成されている。また、これらのＥＣＵには、車両に設けられた電装品を制御するＥＣＵとして、オーディオ機器７ａを制御するオーディオＥＣＵ７、およびエアコン８ａを制御するエアコンＥＣＵ８、車両に持ち込まれる可搬型端末装置９ａを制御するＥＣＵとして、運転者が所持する携帯電話機やスマートフォンを制御する端末通信ＥＣＵ９等が含まれている。
【００３５】
具体的には、オーディオＥＣＵ７は、運転者等のユーザの所望するコンテンツの選択や再生、ボリューム（音量）の調整、コンテンツのうちの楽曲（音楽データ）やビデオ（映像データ）の早送りや巻き戻し等に関する個々のアプリケーション処理を実行する。エアコンＥＣＵ８は、冷暖房の選択やオン・オフの切替、温度調整等に関する個々のアプリケーション処理を実行する。端末通信ＥＣＵ９は、通話やメールの送受信、インターネット上のホームページの閲覧、ナビゲーション等に関する個々のアプリケーション処理をスマートフォン等と連携して実行する。
【００３６】
これらのＥＣＵ７〜９は、いずれも通信バス６を介してメータＥＣＵ３との間でデータ通信を行うことにより、メータＥＣＵ３と連携して個々のアプリケーション処理を実行する。具体的には、ステアリングスイッチ５を用いて運転者により選択されたアプリケーション処理を特定する制御データがメータＥＣＵ３から通信バス６を介してＥＣＵ７〜９に送信され、ＥＣＵ７〜９がこの制御データに基づき、運転者による操作に応じたアプリケーション処理を実行するように構成されている。
【００３７】
このため、車両用ユーザインターフェース装置１において、メータＥＣＵ３やＥＣＵ７〜９が、ステアリングスイッチ５による操作対象機器となる。なお、本実施形態では、ＥＣＵ７〜９が実行するアプリケーション処理の出力内容や、ＥＣＵ７〜９の動作状態を示す制御データは、ＥＣＵ７〜９から通信バス６を介してメータＥＣＵ３に送信され、メータＥＣＵ３がこの制御データに基づく画像をメータディスプレイ４に表示するようにも構成されている。
【００３８】
ここで、アプリケーション処理とは、メータＥＣＵ３のマイコン１０や各ＥＣＵ７〜９のマイコンにおいて、ＣＰＵがＲＯＭまたはフラッシュメモリに記憶されたアプリケーションソフトウェアに基づいて、各々に割り当てられた制御対象機器（例えば、オーディオ機器７ａや、エアコン８ａ、可搬型端末装置９ａ等）を制御するための処理である。また、アプリケーションソフトウェアは、このような制御対象機器に予め複数割り当てられており、運転者等のユーザが実現したい機能を直接的に有するソフトウェアである。
【００３９】
＜ステアリングスイッチとメータディスプレイの構成＞
次に、ステアリングスイッチ５とメータディスプレイ４の構成について説明する。
図２（ａ）に示すように、複数のステアリングスイッチ５は、車両のステアリングスポークにおいてステアリングホイールに隣接する左右両側の位置に設置されており、左側の位置に設けられた十字キー５ａにおける上スイッチ、下スイッチ、左スイッチ、右スイッチと、右側の位置に単独的に設けられた付加デバイスとしての二つの単独ボタン５ｂとによって構成されている。このうち、十字キー５ａは、操作入力デバイスとして、ユーザによるスイッチの押下箇所に応じた指示方向をマイコン１０に入力する。
【００４０】
また、二つの単独ボタン５ｂは、上側に設けられた小さめの角型スイッチと、下側の位置に設けられた大きめの円型スイッチとによって構成され、付加スイッチとして、各操作に応じた指示内容をマイコン１０に入力する。このうち、角型スイッチは押下操作可能に構成されており、後述するメニュー画面１２を呼び出すために使用され、円型スイッチは押下操作および回動操作可能に構成されており、例えば回動操作を介したオーディオ機器の７ａのボリューム調整やエアコン８ａの温度調整等に使用される。
【００４１】
メータディスプレイ４は、車両の運転席正面におけるダッシュボードの枠内に設置されたディスプレイであり、主に車両の速度（車速）やエンジン回転数、燃料残量といった車両の状態を示す車両情報を表示するものである。なお、これらの車両情報を示す制御データは、図示しない車両の走行系に係る制御を行うＥＣＵ（例えばエンジンＥＣＵやブレーキＥＣＵ等）から通信バス６を介してメータＥＣＵ３に送信され、メータＥＣＵ３がこれらの制御データに基づく画像をメータディスプレイ４に表示するように構成されている。
【００４２】
また、メータディスプレイ４の表示形態としては、上記車両情報を中央に表示する通常モード（図２（ｂ）参照）と、上記車両情報を脇に表示するとともに、メニュー画面１２やアプリケーション処理の出力内容を示す画面（アプリケーション画面）を中央に表示するアプリモード（図２（ｃ）参照）とが用意されている。
【００４３】
このうち、メニュー画面１２は、基本的には、図５（ａ）に示すように、ＥＣＵ７〜９が実行する複数のアプリケーション処理の各内容をそれぞれ紹介する複数の項目（例えば図中のＡＡＡＡ〜ＤＤＤＤ）によって構成される。このメニュー画面１２では、十字キー５ａにおける上スイッチおよび下スイッチのユーザによる押下操作に応じて、ある項目から次の項目というように項目毎に移動するカーソルが一つの項目上に表示される。
【００４４】
＜メータＥＣＵの表示制御処理＞
次に、メータＥＣＵ３のマイコン１０において、ＣＰＵがＲＯＭまたはフラッシュメモリに記憶されたプログラムに基づき、ＲＡＭを作業エリアとして用いて実行する表示制御処理について説明する。
【００４５】
図３に示すように、まず、車両のイグニッションスイッチがオンされると、マイコン１０（正確にはＣＰＵ）は、通信バス６から通信コントローラ１１を介して受信した車両情報を、メータディスプレイ４に表示させる車両情報表示処理を起動する（Ｓ１１０）。そして、メータディスプレイ４の表示形態として通常モードを設定することにより、Ｓ１１０における車両情報をメータディスプレイ４の中央に表示させる（Ｓ１２０）。
【００４６】
続いて、マイコン１０は、ステアリングスイッチ５における角型スイッチが押下操作されたか否かを判断し（Ｓ１３０）、このような押下操作を検出した場合には（Ｓ１３０；ＹＥＳ）、メータディスプレイ４の表示形態の設定を通常モードからアプリモードに切り替えることにより、Ｓ１１０における車両情報をメータディスプレイ４の脇に表示させ（Ｓ１４０）、メニュー画面１２をメータディスプレイ４の中央に表示させる。そして、アプリモードにおいて、メータディスプレイ４の表示制御を行うアプリモード表示制御処理を起動する（Ｓ１５０）。一方、このような押下操作を検出しない場合は（Ｓ１３０；ＮＯ）、メータディスプレイ４の表示形態の設定を切り替えずに待機する。
【００４７】
また、マイコン１０は、アプリモード表示制御処理において、例えばメニュー画面１２の表示中に再度角型スイッチが押下操作された場合や、アプリケーション画面の表示中に実行中のアプリケーション処理が終了した場合という、アプリモードを終了するためのトリガを検出したか否かを判断する（Ｓ１６０）。そして、このようなトリガを検出した場合には（Ｓ１６０；ＹＥＳ）、Ｓ１２０に戻ることにより、メータディスプレイ４の表示形態の設定をアプリモードから通常モードに切り替え、このようなトリガを検出しない場合には（Ｓ１６０；ＮＯ）、メータディスプレイ４の表示形態の設定を切り替えずに待機する。
【００４８】
＜アプリモード表示制御処理＞
次に、メータＥＣＵ３のマイコン１０が実行するアプリモード表示制御処理について説明する。
【００４９】
図４に示すように、本処理が開始されると、マイコン１０は、メニュー画面１２における一つの項目上に、十字キー５ａの形状を示すアイコン（以下「デバイスアイコン」という）１３をメータディスプレイ４に表示させる（Ｓ２１０）。具体的には、デバイスアイコン１３は、図５（ｂ）に示すように、項目名（例えば図中のＡＡＡＡ）をユーザが視認できるようにその項目名の左側等に配置される。なお、このデバイスアイコン１３は、デバイスアイコン１３に相当する操作入力デバイスである十字キー５ａのいずれかのスイッチ（本実施形態では上下スイッチ）の押下によって、ある項目から次の項目というように項目毎に移動するカーソルとして用いられる。
【００５０】
続いて、マイコン１０は、デバイスアイコン１３における押下箇所に相当する部分（以下「押下アイコン部分」という）に、ユーザによる操作を促すための第１のガイド画像１４ａをメータディスプレイ４に表示させる（Ｓ２２０）。具体的には、第１のガイド画像１４ａは、図５（ｃ）に示すように、メニュー画面１２におけるデバイスアイコン１３の移動方向（本実施形態では上下方向）を示す画像であり、本実施形態では十字キー５ａの上下スイッチに相当する押下アイコン部分に重畳される。
【００５１】
続いて、マイコン１０は、メニュー画面１２における複数の項目のうち、デバイスアイコン１３が位置する項目（以下「対象項目」という）に対応するアプリケーション処理を実行するＥＣＵ（７〜９のいずれか、以下「対象ＥＣＵ」という）の動作状態を表す制御データを、通信バス６から通信コントローラ１１を介して取得する（Ｓ２３０）。
【００５２】
そして、マイコン１０は、この取得した制御データに基づいて、対象ＥＣＵの動作状態に基づいて変化する画像（以下「動作画像」という）１５を、デバイスアイコン１３における押下アイコン部分以外の部分（本実施形態では十字キー５ａの中央部に相当するアイコン部分）に表示させる（Ｓ２４０）。
【００５３】
具体的には、動作画像１５は、図５（ｄ）に示すように、例えば対象ＥＣＵがオーディオＥＣＵ７の場合、オーディオＥＣＵ７の制御によってオーディオ機器７ａが停止している状態であるときは、例えばオーディオ機器７ａによる楽曲の再生を示す画像であり、図６（ａ）に示すように、オーディオＥＣＵ７の制御によってオーディオ機器７ａが楽曲を再生している状態であるときは、例えばオーディオ機器７ａによる楽曲の一時停止を示す画像である。
【００５４】
このように、マイコン１０は、対象ＥＣＵの動作状態に対応する動作画像１５をデバイスアイコン１３に重畳させることで、対象ＥＣＵの動作状態が変わる毎に、表示される動作画像１５を切り替える制御を行う。
【００５５】
なお、本実施形態では、デバイスアイコン１３上の動作画像１５がオーディオ機器７ａによる楽曲の再生を示す画像である場合、十字キー５ａにおける左右いずれかのスイッチが押下されると、オーディオＥＣＵ７に楽曲の再生を実行させ、動作画像１５がオーディオ機器７ａによる楽曲の一時停止を示す画像である場合、十字キー５ａにおける左右いずれかのスイッチが押下されると、オーディオＥＣＵ７に楽曲の一時停止を実行させる。
【００５６】
ちなみに、動作画像１５は、対象ＥＣＵの動作状態を示す画像であってもよい。この場合、例えばオーディオＥＣＵ７の制御によってオーディオ機器７ａが停止している状態であるときは、オーディオ機器７ａの停止を示す画像であり、オーディオＥＣＵ７の制御によってオーディオ機器７ａが楽曲を再生している状態であるときは、オーディオ機器７ａによる楽曲の再生を示す画像であればよい。
【００５７】
次に、マイコン１０は、デバイスアイコン１３における押下アイコン部分に、ユーザによる操作を促すための第２のガイド画像１４ｂを表示させる（Ｓ２５０）。具体的には、第２のガイド画像１４ｂは、オーディオＥＣＵ７の制御によってオーディオ機器７ａが楽曲を再生している状態である場合、図６（ｂ）に示すように、例えば楽曲の早送りおよび巻き戻しを示す画像であり、本実施形態では十字キー５ａの左右スイッチに相当する押下アイコン部分に重畳される。
【００５８】
なお、このとき十字キー５ａの左右スイッチは、楽曲の早送りおよび巻き戻しに割り当てられるため、前述の動作画像には対象ＥＣＵの動作状態を示す画像が用いられているものとする。また、第２のガイド画像１４ｂとしては、例えば先のステップ（Ｓ２４０）における楽曲の再生や一時停止を示す画像を用いてもよい。
【００５９】
このように、マイコン１０は、メニュー画面１２における複数の項目のうち、対象項目に対応するアプリケーション処理の実行によって実現される機能を示す画像を第２のガイド画像としてメータディスプレイ４に表示させる。
【００６０】
次に、マイコン１０は、メニュー画面１２におけるデバイスアイコン１３の位置に応じて、十字キー５ａのうちユーザによる押下操作が不可となった押下箇所（以下「対象箇所」という）に対応するガイド画像１４ａ，１４ｂをグレーアウトさせる（Ｓ２６０）。具体的には、図６（ｃ）に示すように、例えばデバイスアイコン１３がメニュー画面１２における最上位に位置する場合、メニュー画面１２においてデバイスアイコン１３を上方に移動させる操作が不可となることから、十字キー５ａの上スイッチに相当する押下アイコン部分の第１のガイド画像１４ａ（この場合上方向を示す画像）を薄表示にする。
【００６１】
ちなみに、メニュー画面１２におけるデバイスアイコン１３の位置に応じて、デバイスアイコン１３が位置する項目（対象項目）が変わることによって、十字キー５ａのうちユーザによる押下操作が不可となった押下箇所（対象箇所）に相当する押下アイコン部分の第２のガイド画像１４ｂ（例えば楽曲の早送りや巻き戻しを示す画像等）を薄表示にしてもよい。
【００６２】
あるいは、マイコン１０は、メニュー画面１２におけるデバイスアイコン１３の位置に応じて、対象箇所に相当する押下アイコン部分をグレーアウトさせてもよい。具体的には、図６（ｄ）に示すように、例えばデバイスアイコン１３がメニュー画面１２における最上位に位置する場合、十字キー５ａの上スイッチに相当する押下アイコン部分と、十字キー５ａの左右スイッチに相当する押下アイコン部分とを覆う領域を薄表示にしてもよい。
【００６３】
さらに、マイコン１０は、単独ボタン５ｂが対象項目に対応するアプリケーション処理に関する操作に対応する場合、メニュー画面１２において単独ボタン５ｂ（付加デバイス）の形状を示すアイコン（以下「付加アイコン」という）１６を、デバイスアイコン１３と隣接する位置に表示させる（Ｓ２７０）。具体的には、付加アイコン１６は、図７に示すように、項目名（例えばボリューム）とデバイスアイコン１３をユーザが視認できるようにデバイスアイコン１３の左側等に配置され、例えば対象ＥＣＵがオーディオＥＣＵ７の場合、楽曲のボリューム調整に割り当てられた円型スイッチの形状を示す。
【００６４】
また、図７に示すように、マイコン１０は、付加アイコン１６とともに、円形スイッチの回動方向と、その円形スイッチの回動操作によって実現される機能を示すガイダンス（例えばＶｏｌ等）をメータディスプレイ４に表示させ（Ｓ２８０）、Ｓ２１０に戻る。
【００６５】
＜効果＞
以上説明したように、車両用ユーザインターフェース装置１では、マイコン１０が、十字キー５ａの形状を示すデバイスアイコン１３をメニュー画面１２に表示されるカーソルとして使用するため、ユーザは項目を選択する際に操作入力デバイスとしてどのスイッチを使用すればよいか一目瞭然に知得することが可能となり、デバイスアイコン１３を見たときにほとんど視線を動かすことなく、選択された項目を知得することが可能となる。
【００６６】
したがって、車両用ユーザインターフェース装置１によれば、メニュー画面１２における複数の項目の中から一つの項目を項目毎に移動するカーソルによってユーザに選択させる構成において、ユーザの操作性をより向上させることができる。
【００６７】
また、車両用ユーザインターフェース装置１では、マイコン１０が、デバイスアイコン１３における押下アイコン部分に、ユーザによる操作を促すためのガイド画像１４ａ，１４ｂを重畳させるため、ユーザはメニュー画面１２の表示中に十字キー５ａにおけるどの部分を押下すればよいか容易に知得することが可能となる。
【００６８】
また、車両用ユーザインターフェース装置１では、マイコン１０が、デバイスアイコン１３の移動方向を示す第１のガイド画像１４ａを表示させるため、ユーザは十字キー５ａにおけるどの部分を押下すれば、どの方向にカーソルとしてのデバイスアイコン１３が移動するかを容易に知得することができる。
【００６９】
また、車両用ユーザインターフェース装置１では、マイコン１０が、複数の項目のうちデバイスアイコン１３が位置する項目（対象項目）に対応するアプリケーション処理の実行によって実現される機能を示す第２のガイド画像１４ｂを表示させるため、ユーザは十字キー５ａにおけるどの部分を押下すれば、選択された項目でどのような機能が実現されるかを容易に知得することができる。
【００７０】
また、車両用ユーザインターフェース装置１では、マイコン１０が、デバイスアイコン１３の位置に応じて、十字キー５ａのうちユーザによる操作が不可となった押下箇所（対象箇所）に対応するガイド画像１４ａ，１４ｂをグレーアウトさせるため、カーソルとしてデバイスアイコン１３を移動させる操作が不可となった場合や、選択された項目で実現される機能を実現させるための操作が不可となった場合に、ユーザはデバイスアイコン１３の位置や項目と使用可能／不可な操作との関係性を容易に知得することができる。
【００７１】
また、車両用ユーザインターフェース装置１では、マイコン１０が、デバイスアイコン１３の位置に応じて、十字キー５ａのうちユーザによる操作が不可となった押下箇所（対象箇所）に対応する押下アイコン部分をグレーアウトさせることで、ユーザは十字キー５ａのうち操作が不可となった対象の箇所をより直感的に知得することができる。
【００７２】
また、車両用ユーザインターフェース装置１では、マイコン１０が、複数の項目のうちデバイスアイコン１３が位置する項目（対象項目）に対応するアプリケーション処理を実行するＥＣＵ７〜９の動作状態に応じた動作画像１５を、十字キー５ａにおける押下アイコン部分以外の部分に重畳させるため、ユーザは十字キー５ａの押下部分を容易に知得できるだけでなく、メニュー画面１２上でＥＣＵ７〜９（ひいては制御対象機器）の動作状態を知得することができる。
【００７３】
また、これにより、ＥＣＵ７〜９が実行するアプリケーション処理の出力内容を示す画面（アプリケーション画面）をメニュー画面１２に代えて表示させずに済ませることも可能となるため、ユーザはアプリケーション画面からメニュー画面１２に戻る操作を行わずに、例えば別の項目を選択することができ、ひいてはユーザの操作性をより向上させることができる。
【００７４】
また、車両用ユーザインターフェース装置１では、マイコン１０が、複数の項目のうちデバイスアイコン１３が位置する項目（対象項目）に対応するアプリケーション処理に関する操作に単独ボタン５ｂが割り当てられている場合、メニュー画面１２においてその単独ボタン５ｂの形状を示す付加アイコン１６をデバイスアイコン１３と隣接する位置に表示させる。このため、ユーザはデバイスアイコン１３を見たときにほとんど視線を動かすことなく、選択された項目で十字キー５ａとは別に使用できる単独ボタン５ｂを知得することができる。
【００７５】
また、車両用ユーザインターフェース装置１では、マイコン１０が、この付加アイコン１６に対応する単独ボタン５ｂが操作された場合に実現される機能を示すガイダンスを、付加アイコン１６とともに表示させるため、ユーザが付加アイコン１６を見たときに、この付加アイコン１６に対応する単独ボタン５ｂを操作することによってどのような特定の機能が実現されるかを知得することができる。また、これにより、ユーザに付加アイコン１６とデバイスアイコン１３とを混同させてしまうことを防止できるため、ユーザに項目を選択する際に操作入力デバイスとしてどのスイッチを使用すればよいか知得させることを妨げずに済む。
【００７６】
＜他の実施形態＞
以上、本発明の実施形態について説明したが、本発明は上記実施形態に限定されるものではなく、本発明の要旨を逸脱しない範囲において、様々な態様にて実施することが可能である。
【００７７】
例えば、上記実施形態では、操作入力デバイスとして十字キー５ａを採り上げて説明したが、これに限定されるものではなく、その形状を特定できるものであってユーザによる操作に応じた指示方向を入力可能なものであれば、どのような態様のものであってもよい。
【００７８】
なお、上記実施形態では、付加デバイスとして単独ボタン５ｂを取り上げて説明したが、これについても、その形状を特定できるものであってユーザによる操作に応じた指示内容を入力可能なものであれば、どのような態様のものであってもよい。
【００７９】
また、上記実施形態では、ガイド画像１４ａ，１４ｂとして、記号あるいはマーク等の画像を例示したが、これに限るものではなく、例えば文字等を示す画像であってもよいし、これらの組合せであってもよい。
【００８０】
さらに言えば、上記実施形態では、車両用ユーザインターフェース装置１を採り上げて本発明を説明したが、車両用に限定されるものではなく、少なくとも表示部と操作入力デバイスと表示制御手段とを備える装置であれば、各種の用途に適用することができる。
【符号の説明】
【００８１】
１…車両用ユーザインターフェース装置、２…車載ネットワークシステム、３…メータＥＣＵ、４…メータディスプレイ、５…ステアリングスイッチ、５ａ…十字キー、５ｂ…単独ボタン、６…通信バス、７…オーディオＥＣＵ、７ａ…オーディオ機器、８…エアコンＥＣＵ、８ａ…エアコン、９…端末通信ＥＣＵ、９ａ…可搬型端末装置、１０…マイコン、１１…通信コントローラ、１２…メニュー画面、１３…デバイスアイコン、１４ａ，１４ｂ…ガイド画像、１５…動作画像、１６…付加アイコン。
【図１】
2014123207.tif 000003
【図２】
2014123207.tif 000004
【図３】
2014123207.tif 000005
【図４】
2014123207.tif 000006
【図５】
2014123207.tif 000007
【図６】
2014123207.tif 000008
【図７】
2014123207.tif 000009
【図８】
2014123207.tif 000010